(57)【要約】  【課題】構造が簡単、安価、外観品質が良好で、且つ、指間の各箇所を丁寧にマッサージできる指間用マッサージ具を提供する。  【解決手段】人の手で把持される棒状のグリップ部１１と、グリップ部１１から延長されて人間の足又は手の指の間に挿入される棒状のマッサージ部１２とを有し、マッサージ部１２は、棒状の周囲で、且つ、長手方向に複数の刺激用突部１６ａが並んで所定の長さに渡って形成された指間用マッサージ具１０。【選択図】図１
2008099909.tif 000002
【特許請求の範囲】
【請求項１】
人の手で把持される棒状のグリップ部と、該グリップ部から延長されて人間の足又は手の指の間に挿入される棒状のマッサージ部とを有し、
該マッサージ部は、棒状の周囲で、且つ、長手方向に複数の刺激用突部が並んで所定の長さに渡って形成されたことを特徴とする指間用マッサージ具。
【請求項２】
前記グリップ部は、硬質樹脂より成形される一方、前記マッサージ部は、複数の刺激用突部が柔軟性を有する樹脂にて成形されたことを特徴とする請求項１に記載の指間用マッサージ具。
【請求項３】
前記マッサージ部は、硬質樹脂より成形された芯材と、該芯材の周囲に成形され柔軟性を有する樹脂成形部とを有し、前記芯材には、前記グリップ部に形成された嵌合孔に嵌合される嵌合部が形成される一方、前記樹脂成形部には、前記複数の刺激用突部が形成されたことを特徴とする請求項２に記載の指間用マッサージ具。
【請求項４】
前記マッサージ部の柔軟性を有する樹脂は、シリコーンゴムであることを特徴とする請求項２又は３に記載の指間用マッサージ具。
【請求項５】
前記マッサージ部は、棒状のマッサージ部本体を有し、前記刺激用突部は、前記マッサージ部本体の周囲にリング状に突設して形成され、前記刺激用突部が、前記マッサージ部本体の長手方向に複数並んで所定の長さに渡って形成されたことを特徴とする請求項１乃至４の何れか一つに記載の指間用マッサージ具。
【請求項６】
前記マッサージ部は、棒状のマッサージ部本体を有し、前記刺激用突部は、前記マッサージ部本体の周囲に山形状に突設して形成され、前記刺激用突部が、前記マッサージ部本体の長手方向に複数並んで所定の長さに渡って形成されたことを特徴とする請求項１乃至４の何れか一つに記載の指間用マッサージ具。
【請求項７】
前記マッサージ部は、長手方向の両端部側の径より、中央部側の径の方が太く形成されたことを特徴とする請求項１乃至６の何れか一つに記載の指間用マッサージ具。
【発明の詳細な説明】
【技術分野】
【０００１】
この発明は、足や手の指の間に挿入して、進退動等させることにより、指の間に刺激を与える指間用マッサージ具に関するものである。
【背景技術】
【０００２】
従来からこの種のものとしては、特許文献１に記載されたようなものがある。
【０００３】
すなわち、この特許文献１には、「洗浄可能で、かつ伸縮性を有する素材より成る４本の長尺の紐状体と、紐状体４本を並列に張設し、紐状体を足指間で摺動させるための４本の紐状体の前方部と後方部に定着された一対の持ち手とから成り、伸縮性を有する紐状体が、伸縮性を有する紐によって連結された複数の球状のマッサージボールを伸縮性を有する長尺の外筒の内部に収納してなる足指間マッサージ具。」が開示されている。
【特許文献１】登録実用新案第３１２１７５２号公報。
【発明の開示】
【発明が解決しようとする課題】
【０００４】
しかしながら、このような従来のものにあっては、４本の紐状体を有し、これら紐状体は内部に伸縮性を有する紐によって連結されたマッサージボールが収納される構成となっているため、構造が複雑で、高価なものとなると共に、外観品質も良好とは良い難かった。また、全ての指の間を一度にマッサージできるが、各箇所を丁寧にマッサージ等することが難しかった。
【０００５】
そこで、この発明は、構造が簡単、安価、外観品質が良好で、且つ、指間の各箇所を丁寧にマッサージできる指間用マッサージ具を提供する。
【課題を解決するための手段】
【０００６】
かかる課題を達成するために、請求項１に記載の発明は、人の手で把持される棒状のグリップ部と、該グリップ部から延長されて人間の足又は手の指の間に挿入される棒状のマッサージ部とを有し、該マッサージ部は、棒状の周囲で、且つ、長手方向に複数の刺激用突部が並んで所定の長さに渡って形成された指間用マッサージ具としたことを特徴とする。
【０００７】
請求項２に記載の発明は、請求項１に記載の構成に加え、前記グリップ部は、硬質樹脂より成形される一方、前記マッサージ部は、複数の刺激用突部が柔軟性を有する樹脂にて成形されたことを特徴とする。
【０００８】
請求項３に記載の発明は、請求項２に記載の構成に加え、前記マッサージ部は、硬質樹脂より成形された芯材と、該芯材の周囲に成形され柔軟性を有する樹脂成形部とを有し、前記芯材には、前記グリップ部に形成された嵌合孔に嵌合される嵌合部が形成される一方、前記樹脂成形部には、前記複数の刺激用突部が形成されたことを特徴とする。
【０００９】
請求項４に記載の発明は、請求項２又は３に記載の構成に加え、前記マッサージ部の柔軟性を有する樹脂は、シリコーンゴムであることを特徴とする。
【００１０】
請求項５に記載の発明は、請求項１乃至４の何れか一つに記載の構成に加え、前記マッサージ部は、棒状のマッサージ部本体を有し、前記刺激用突部は、前記マッサージ部本体の周囲にリング状に突設して形成され、前記刺激用突部が、前記マッサージ部本体の長手方向に複数並んで所定の長さに渡って形成されたことを特徴とする。
【００１１】
請求項６に記載の発明は、請求項１乃至４の何れか一つに記載の構成に加え、前記マッサージ部は、棒状のマッサージ部本体を有し、前記刺激用突部は、前記マッサージ部本体の周囲に山形状に突設して形成され、前記刺激用突部が、前記マッサージ部本体の長手方向に複数並んで所定の長さに渡って形成されたことを特徴とする。
【００１２】
請求項７に記載の発明は、請求項１乃至６の何れか一つに記載の構成に加え、前記マッサージ部は、長手方向の両端部側の径より、中央部側の径の方が太く形成されたことを特徴とする。
【発明の効果】
【００１３】
上記請求項１に記載の発明によれば、人の手で把持される棒状のグリップ部と、該グリップ部から延長されて人間の足又は手の指の間に挿入される棒状のマッサージ部とを有し、該マッサージ部は、棒状の周囲で、且つ、長手方向に複数の刺激用突部が並んで所定の長さに渡って形成された指間用マッサージ具としたため、指間に指間用マッサージ具を挿入して動（進退動等）かすことにより、指間の皮膚が刺激されてマッサージされ、指と、その近傍の血流を促進し、且つ、指間の洗浄により、指間を清潔に保ち、足等の冷えの軽減や、水虫の予防効果が期待できる。
【００１４】
また、長手方向に複数の刺激用突部が並んで所定の長さに渡って形成された指間用マッサージ具としたため、指間用マッサージ具を進退動させることにより、複数の刺激用突部で連続して指間の皮膚を刺激することができる。
【００１５】
さらに、この指間用マッサージ具は、１本の棒状であるため、各指の間を１箇所ずつ丁寧にマッサージすることができる。
【００１６】
さらにまた、棒状のグリップ部と、このグリップ部から延長された棒状のマッサージ部とを有しているため、極めてシンプルで、外観品質が良好である。
【００１７】
請求項２に記載の発明によれば、マッサージ部は、複数の刺激用突部が柔軟性を有する樹脂にて成形されたため、心地よい刺激を与えることができる。
【００１８】
請求項３に記載の発明によれば、マッサージ部は、硬質樹脂より成形された芯材と、この芯材の周囲に成形され柔軟性を有する樹脂成形部とを有し、芯材には、グリップ部に形成された嵌合孔に嵌合される嵌合部が形成されることにより、マッサージ部とグリップ部との着脱を容易に行うことができると共に、マッサージ部の交換も簡単に行うことができる。
【００１９】
請求項４に記載の発明によれば、マッサージ部の柔軟性を有する樹脂は、シリコーンゴムであるため、耐水性があり、洗浄が可能であると共に、水中での使用も可能である。
【００２０】
請求項５に記載の発明によれば、マッサージ部は、棒状のマッサージ部本体を有し、刺激用突部は、マッサージ部本体の周囲にリング状に突設して形成され、刺激用突部が、マッサージ部本体の長手方向に複数並んで所定の長さに渡って形成されたため、指間用マッサージ具の進退動により、順次、リング状の刺激用突部が弾性変形して、指間の皮膚が刺激されてマッサージすることができる。
【００２１】
請求項６に記載の発明によれば、マッサージ部は、棒状のマッサージ部本体を有し、刺激用突部は、マッサージ部本体の周囲に山形状に突設して形成され、刺激用突部が、マッサージ部本体の長手方向に複数並んで所定の長さに渡って形成されたため、指間用マッサージ具の進退動により、順次、リング状の刺激用突部が弾性変形して、指間の皮膚が刺激されてマッサージすることができる。
【００２２】
請求項７に記載の発明によれば、マッサージ部は、長手方向の両端部側の径より、中央部側の径の方が太く形成されたため、指の間に挿入し易いと共に、太さの違いにより、刺激の強さを変化させることができる。
【発明を実施するための最良の形態】
【００２３】
以下、この発明の実施の形態について説明する。
【００２４】
図１乃至図３には、この発明の実施の形態を示す。
【００２５】
まず構成を説明すると、図１及び図２に示すように、この実施の形態の指間用マッサージ具１０は、人の手で把持される棒状のグリップ部１１と、このグリップ部１１から延長されて人間の足又は手の指の間に挿入される棒状のマッサージ部１２とを有している。
【００２６】
そのグリップ部１１は、硬質樹脂である例えば酢酸繊維素（セルローズ・アセテート）樹脂等より射出成形され、長手方向の中央部付近が太く、両端部側が徐々に細くなっている。そして、図１及び図２中左側端部には、マッサージ部１２に当接される当接面１１ａが形成され、この当接面１１ａから嵌合孔１１ｂが軸方向に沿って形成されている（図２（ａ）参照）。
【００２７】
また、マッサージ部１２は、硬質樹脂製、例えば酢酸繊維素（セルローズ・アセテート）樹脂等の芯棒１５の周囲に、柔軟性を有する樹脂であるシリコーンゴムにて樹脂成形部１６が成形されている。このマッサージ部１２の成形は、まず、図２（ｂ）に示すように、芯棒１５を形成し、その後、この芯棒１５を型にセットして周囲にシリコーンゴムを流し込んで樹脂成形部１６を成形することにより、マッサージ部１２を成形する。
【００２８】
その芯棒１５には、嵌合孔１１ｂに挿入嵌合される棒状の嵌合部１５ａが形成されると共に、この嵌合部１５ａにリング状の抜止め部１５ｂが形成されている。この嵌合部１５ａを嵌合孔１１ｂに嵌合させた状態で、抜止め部１５ｂが圧入され、芯棒１５がグリップ部１１から抜けるのを防止するようにしている。
【００２９】
そのマッサージ部１２は棒状のマッサージ部本体１７を有し、このマッサージ部本体１７に形成された樹脂成形部１６の周囲に、リング状の刺激用突部１６ａが複数突設されている。これら刺激用突部１６ａは、マッサージ部１２の長手方向に複数の並んで所定長さに渡って形成され、長手方向の両端部側の径Ｌ１より、中央部側の径Ｌ２の方が太く形成されている。また、この刺激用突部１６ａの先端部１６ｂは、先細り形状に成形されている。
【００３０】
次に、作用について説明する。
【００３１】
使用者は、指間用マッサージ具１０のグリップ部１１を持って、マッサージ部１２を足指間に挿入する（図３参照）。この挿入時には、マッサージ部１２の先端部１６ｂ側が先細り形状になっているため、容易に挿入できる。
【００３２】
そして、この挿入状態で、この指間用マッサージ具１０を進退動（図３中上下動）させる。この進退動時には、柔軟性を有し、長手方向に並んで配置された複数の刺激用突部１６ａより、指間の皮膚が刺激されてマッサージされる。
【００３３】
これにより、足指と、その近傍の血流が促進され、且つ、足指間の洗浄により、足指間を清潔に保ち、足冷えの軽減や、水虫の予防効果が期待できる。特に、複数の刺激用突部１６ａは柔軟性を有するため、心地よい刺激を与えることができ、又、これら刺激用突部１６ａは、棒状の周囲で、且つ、長手方向に複数並んで形成されているため、指間用マッサージ具１０を進退動させることにより、複数の刺激用突部１６ａで連続して指間の皮膚を刺激することができる。
【００３４】
また、この指間用マッサージ具１０は、１本の棒状であるため、各指の間を１箇所ずつ丁寧にマッサージすることができる。
【００３５】
さらに、棒状のグリップ部１１と、このグリップ部１１から延長された棒状のマッサージ部１２とを有しているため、極めてシンプルで、外観品質が良好である。
【００３６】
さらにまた、マッサージ部１２には、硬質樹脂による芯棒１５が形成されているため、全体がシリコーンゴムで成形されているものより、曲げ力に対して弾力性があることから、扱い易い。
【００３７】
また、グリップ部１１とマッサージ部１２との接続は、芯棒１５に嵌合部１５ａを形成し、この嵌合部１５ａをグリップ部１１の嵌合孔１１ｂに嵌合させるだけで良いため、着脱し易く、マッサージ部１２の交換等も容易に行うことができる。
【００３８】
また、指間用マッサージ具１０は、グリップ部１１及びマッサージ部１２が共に樹脂製であり、入浴中の介護においても使用できると共に、洗浄も可能であり、清潔感も維持できる。
［発明の実施の形態２］
【００３９】
図４及び図５には、この発明の実施の形態２を示す。
【００４０】
この実施の形態２は、マッサージ部２２の樹脂成形部２６の刺激用突部２６ａの構造が実施の形態１のものと相違している。他のグリップ部１１や芯棒１５等の構造は実施の形態１と同様である。
【００４１】
すなわち、その刺激用突部２６ａは、マッサージ部本体２７の周囲に円弧状の山形状に突設して形成され、この刺激用突部２６ａが、マッサージ部本体２７の長手方向に複数、並んで形成されている。
【００４２】
それら刺激用突部２６ａは、図４に示すように、上側と下側とで、大きさが異なるように形成されている。
【００４３】
このように刺激用突部２６ａが山形形状を呈しており、長手方向に複数並んで形成されているため、指間用マッサージ具１０を進退動させることにより、複数の刺激用突部１６ａで連続して指間の皮膚を刺激することができる。
【００４４】
また、その刺激用突部２６ａは図４に示すように、上側と下側とで、大きが異なるように形成されているため、指間用マッサージ具１０の軸中心に回転させて大きさの異なる刺激用突部２６ａの位置を異ならせることにより、刺激の程度を変えることができる。
【００４５】
さらに、刺激用突部２６ａは山形状を呈し、これらが連続したものであるため、耐久性が良好であると共に、洗浄も容易に行える。
【００４６】
他の構成及び作用は実施の形態１と同様であるので、重複した説明を省略する。
【００４７】
なお、この発明の刺激用突部の形状は、上記実施の形態のものに限らず、凸形状で有れば良く、螺旋状等でも良い。また、上記実施の形態では、指間用マッサージ具が樹脂により成形されているが、木製とすることもできる。
【図面の簡単な説明】
【００４８】
【図１】この発明の実施の形態１に係る指間用マッサージ具を示す正面図である。
【図２】同実施の形態１に係る指間用マッサージ具を示す分解図である。
【図３】同実施の形態１に係る指間用マッサージ具の使用状態を示す図である。
【図４】この発明の実施の形態２に係る指間用マッサージ具を示す正面図である。
【図５】同実施の形態２に係る指間用マッサージ具を示す分解図である。
【符号の説明】
【００４９】
10  指間用マッサージ具
11  グリップ部
11b 嵌合孔
12,22 マッサージ部
15  芯棒
15a 嵌合部
16,26 樹脂成形部
16a,26a 刺激用突部
16b,26b 先端部
17,27   マッサージ部本体
【図１】
2008099909.tif 000003
【図２】
2008099909.tif 000004
【図３】
2008099909.tif 000005
【図４】
2008099909.tif 000006
【図５】
2008099909.tif 000007